(57)【要約】【課題】  コンテンツを限られた視聴時間で適切に再生し、かつ視聴時間の変更に即座に対応することができる再生装置、データ送受信システムおよび再生方法を提供する。【解決手段】  再生装置１００は、所定の間隔で再生制御補助情報検出装置２１０から所要時間情報を取得する補助情報取得部１０７、所要時間を視聴可能時間として算出する視聴可能時間算出部１０６、視聴可能時間に基づいて再生速度および省略するシーンを決定する再生制御方法決定部１０５、省略シーンがあればその省略シーンを省略し、省略シーンがなければ省略を行わずに、算出された再生速度に従ってデータ読出し部１０１および再生部１０８の制御を行う再生制御部１０３、および新たに算出された視聴可能時間が前回算出された視聴可能時間と比較して変化しているか否かを判定する判定部１０４を備える。【選択図】        図１
2005223451.tif 000002
【特許請求の範囲】
【請求項１】
データの再生を行う再生装置であって、
再生するコンテンツのデータを読み出すデータ読出し手段と、
前記データ読出し手段により読み出されたデータを再生する再生手段と、
所定の期間毎に時間に関する再生制御補助情報を取得する補助情報取得手段と、
前記再生制御補助情報に基づいて再生制御方法を決定する再生制御方法決定手段と、
前記再生制御方法決定手段により決定された再生制御方法に従って前記データ読出し手段および前記再生手段を制御する再生制御手段と
を備えることを特徴とする再生装置。
【請求項２】
前記再生装置は、さらに、
前記再生制御補助情報に基づいて視聴可能時間を算出する視聴可能時間算出手段を備え、
前記再生制御方法決定手段は、前記再生するコンテンツを前記視聴可能時間内に視聴者が視聴完了できるように前記再生制御方法を決定する
ことを特徴とする請求項１記載の再生装置。
【請求項３】
前記視聴可能時間算出手段は、前記再生制御補助情報が取得される毎に前記視聴可能時間を算出し、
前記再生装置は、さらに、
前記視聴可能時間算出手段より新たに算出された視聴可能時間が前回算出された視聴可能時間と比較して変化しているか否かを判定する判定手段を備え、
前記再生制御方法決定手段は、前記判定手段により前記新たな視聴可能時間が変化していると判定された場合、前記新たな視聴可能時間内に再生するコンテンツを視聴完了できるように前記再生制御方法を再度決定する
ことを特徴とする請求項２記載の再生装置。
【請求項４】
前記再生制御方法決定手段は、前記視聴可能時間および前記コンテンツの残り再生時間に基づいて前記コンテンツの再生速度を算出し、
前記再生制御手段は、前記再生制御方法決定手段により算出された再生速度に基づいて前記データ読出し手段および前記再生手段を制御する
ことを特徴とする請求項２または請求項３記載の再生装置。
【請求項５】
前記再生制御方法決定手段は、前記算出した再生速度があらかじめ設定される所定の速度を超える場合には、前記コンテンツの中で省略を行うシーンを決定した上で、前記コンテンツの再生速度を再度算出し、
前記再生制御手段は、前記再生制御方法決定手段により決定されたシーンを省略し、かつ再度算出された再生速度に基づいて前記コンテンツを再生するように前記データ読出し手段および前記再生手段を制御する
ことを特徴とする請求項４記載の再生装置。
【請求項６】
前記再生制御方法決定手段は、前記視聴可能時間および前記コンテンツの残り再生時間に基づいて前記コンテンツの中で省略を行うシーンを決定し、
前記再生制御手段は、前記コンテンツを前記再生制御方法決定手段により決定されたシーンを省略して再生するように前記データ読出し手段および前記再生手段を制御する
ことを特徴とする請求項２または請求項３記載の再生装置。
【請求項７】
前記コンテンツは、複数段階の重要度によってシーン分けされており、
前記再生制御方法決定手段は、前記重要度に基づいて前記コンテンツの中で省略を行うシーンを決定する
ことを特徴とする請求項５または請求項６記載の再生装置。
【請求項８】
前記再生装置は、車両に搭載され、
前記再生制御補助情報は、前記車両の目的地までの所要時間を表す情報である
ことを特徴とする請求項１〜請求項７のいずれか１項に記載の再生装置。
【請求項９】
前記視聴可能時間算出手段は、前記所要時間をそのまま前記視聴可能時間として算出する
ことを特徴とする請求項８記載の再生装置。
【請求項１０】
前記補助情報取得手段は、当該再生装置に接続された、前記車両の目的地までの所要時間を算出するカーナビゲーションシステムから前記所要時間を前記再生制御補助情報として取得する
ことを特徴とする請求項８記載の再生装置。
【請求項１１】
前記再生装置は、さらに、
入力されるデータを蓄積するための記録手段を備え、
前記データ読出し手段は前記記録手段に蓄積されたデータを読み出す
ことを特徴とする請求項１〜請求項１０のいずれか１項に記載の再生装置。
【請求項１２】
前記再生装置は、さらに、
他の装置と通信を行う通信手段と、
前記通信手段を介して受信されるデータを蓄積するための記録手段と、
前記視聴可能時間と再生中のコンテンツの残り再生時間とを比較し、前記視聴可能時間が前記残り再生時間より所定の時間以上長くなると判断した場合に、前記通信手段を介して前記他の装置へ他のコンテンツのデータを要求するデータ要求手段と
を備えることを特徴とする請求項２〜請求項１０のいずれか１項に記載の再生装置。
【請求項１３】
前記データ要求手段は、要求する前記他のコンテンツを前記視聴可能時間と前記残り再生時間との差に基づいて決定する
ことを特徴とする請求項１２記載の再生装置。
【請求項１４】
データの記録および再生を行う第１記録再生装置および第２記録再生装置を備え、前記第１記録再生装置と前記第２記録再生装置との間でデータを送受信するデータ送受信システムであって、
前記第１記録再生装置は、
再生するコンテンツのデータを読み出すデータ読出し手段と、
前記データ読出し手段により読み出されたデータを再生する再生手段と、
所定の期間毎に時間に関する再生制御補助情報を取得する補助情報取得手段と、
前記再生制御補助情報に基づいて視聴可能時間を算出する視聴可能時間算出手段と、
前記再生するコンテンツを前記視聴可能時間内に視聴者が視聴完了できるように前記再生制御方法を決定する再生制御方法決定手段と、
前記再生制御方法決定手段により決定された再生制御方法に従って前記データ読出し手段および前記再生手段を制御する再生制御手段と、
他の装置と通信を行う通信手段と、
前記通信手段を介して受信されるデータを蓄積するための記録手段と、
前記視聴可能時間と再生中のコンテンツの残り再生時間とを比較し、前記視聴可能時間が前記残り再生時間より所定の時間以上長くなると判断した場合に、前記通信手段を介して前記他の装置へ他のコンテンツのデータを要求するデータ要求手段とを備え、
前記第２記録再生装置は、
他の装置と通信を行う通信手段と、
コンテンツのデータを蓄積するための記録手段と、
前記第１記録再生装置より要求された前記他のコンテンツのデータを前記通信手段を介して前記第１記録再生装置へ送信する応答手段とを備える
ことを特徴とするデータ送受信システム。
【請求項１５】
データの再生を行う再生方法であって、
所定の期間毎に時間に関する再生制御補助情報を取得する補助情報取得ステップと、
前記再生制御補助情報に基づいて再生制御方法を決定する再生制御方法決定ステップと、
前記再生制御方法決定ステップにより決定された再生制御方法に従って、再生するコンテンツのデータを読み出すデータ読出しステップと、
前記再生制御方法決定ステップにより決定された再生制御方法に従って、前記データ読出しステップにより読み出されたデータを再生する再生ステップと
を含むことを特徴とする再生方法。
【請求項１６】
データの再生を行うためのプログラムであって、
請求項１５記載の再生方法に含まれるステップをコンピュータに実行させる
ことを特徴とするプログラム。
【発明の詳細な説明】
【技術分野】
【０００１】
本発明は、コンテンツを再生する再生装置に関し、より具体的には、限られた視聴時間に合わせて再生制御方法を変更する再生装置に関する。
【背景技術】
【０００２】
近年、車内で音楽やビデオなどのＡＶコンテンツを視聴して楽しむことが可能となってきた。車内で視聴を楽しむことができるのは車に乗っているときだけであるので、この限られた時間において適切にコンテンツを再生する方法が求められる。このような方法として、特許文献１の「車両情報提供装置および車載情報再生装置」が提案されている。
特許文献１の「車両情報提供装置および車載情報再生装置」では車両の現在位置や目的地などの情報とコンテンツの利用目的（例えば音楽、ニュースなど）を情報提供センターに送信し、情報提供センターでは目的地までの所要時間を算出する。そして所要時間内に視聴が完了するように利用目的に応じて複数のコンテンツを車両に送信する。コンテンツは複数の再生モードを備えており、それぞれのモードで再生時間が異なる。コンテンツが１つ（例えば音楽が一曲）視聴完了する毎に残り所要時間を算出し、その変化に応じて、コンテンツのモードを切り替えて所要時間に合わせてコンテンツを視聴するというものである。
【特許文献１】特開２００３−１８７３８３号公報
【発明の開示】
【発明が解決しようとする課題】
【０００３】
しかしながら、上記のような車両情報提供装置および車載情報再生装置では、車両が情報提供センターと通信ができない場合はその機能を利用することはできない。また、所要時間の変化によってモードを切り替えることで所要時間に応じた再生を行うことはできるが、所要時間の確認は１つのコンテンツが視聴完了する毎であるため、視聴時間の長いビデオデータ等に用いると最適な再生モードへの切り替えを即座に行うことができない。
【０００４】
そこで、本発明は上記の事情に鑑みてなされたものであり、コンテンツを限られた視聴時間で適切に再生し、かつ視聴時間の変更に即座に対応することができる再生装置、データ送受信システムおよび再生方法を提供することを目的とする。
【課題を解決するための手段】
【０００５】
上記目的を達成するため、本発明に係る再生装置は、データの再生を行う再生装置であって、再生するコンテンツのデータを読み出すデータ読出し手段と、前記データ読出し手段により読み出されたデータを再生する再生手段と、所定の期間毎に時間に関する再生制御補助情報を取得する補助情報取得手段と、前記再生制御補助情報に基づいて再生制御方法を決定する再生制御方法決定手段と、前記再生制御方法決定手段により決定された再生制御方法に従って前記データ読出し手段および前記再生手段を制御する再生制御手段とを備えることを特徴とする。
【０００６】
これにより、再生制御補助情報が変更されたとしても随時適切な再生を行うことができる。
ここで、前記再生装置は、さらに、前記再生制御補助情報に基づいて視聴可能時間を算出する視聴可能時間算出手段を備え、前記再生制御方法決定手段は、前記再生するコンテンツを前記視聴可能時間内に視聴者が視聴完了できるように前記再生制御方法を決定してもよい。
【０００７】
これにより、視聴者は所望のコンテンツを視聴可能時間内に視聴完了することができる。
また、前記視聴可能時間算出手段は、前記再生制御補助情報が取得される毎に前記視聴可能時間を算出し、前記再生装置は、さらに、前記視聴可能時間算出手段より新たに算出された視聴可能時間が前回算出された視聴可能時間と比較して変化しているか否かを判定する判定手段を備え、前記再生制御方法決定手段は、前記判定手段により前記新たな視聴可能時間が変化していると判定された場合、前記新たな視聴可能時間内に再生するコンテンツを視聴完了できるように前記再生制御方法を再度決定してもよい。
【０００８】
これにより、視聴可能時間の変化に即座に対応して、適切な再生を行うことができる。
ここで、前記再生制御方法決定手段は、前記視聴可能時間および前記コンテンツの残り再生時間に基づいて前記コンテンツの再生速度を算出し、前記再生制御手段は、前記再生制御方法決定手段により算出された再生速度に基づいて前記データ読出し手段および前記再生手段を制御することが好ましい。
【０００９】
これにより、視聴可能時間内にコンテンツの視聴が完了できるように適切な再生を行うことができる。
また、前記再生制御方法決定手段は、前記算出した再生速度があらかじめ設定される所定の速度を超える場合には、前記コンテンツの中で省略を行うシーンを決定した上で、前記コンテンツの再生速度を再度算出し、前記再生制御手段は、前記再生制御方法決定手段により決定されたシーンを省略し、かつ再度算出された再生速度に基づいて前記コンテンツを再生するように前記データ読出し手段および前記再生手段を制御してもよい。
【００１０】
これにより、過度に早い再生速度での再生を防ぐことができる。
また、前記再生制御方法決定手段は、前記視聴可能時間および前記コンテンツの残り再生時間に基づいて前記コンテンツの中で省略を行うシーンを決定し、前記再生制御手段は、前記コンテンツを前記再生制御方法決定手段により決定されたシーンを省略して再生するように前記データ読出し手段および前記再生手段を制御してもよい。
【００１１】
これにより、視聴可能時間内にコンテンツの視聴が完了できるように適切な再生を行うことができる。
また、前記コンテンツは、複数段階の重要度によってシーン分けされており、前記再生制御方法決定手段は、前記重要度に基づいて前記コンテンツの中で省略を行うシーンを決定してもよい。これにより、再生を省略するシーンを効率的に決定することができる。
【００１２】
また、前記再生装置は車両に搭載され、前記再生制御補助情報は、前記車両の目的地までの所要時間を表す情報であってもよい。これにより、所要時間に応じた適切な再生を行うことができる。
また、前記視聴可能時間算出手段は、前記所要時間をそのまま前記視聴可能時間として算出してもよい。これにより、視聴可能時間を容易に算出することができる。
【００１３】
また、前記再生装置は、さらに、他の装置と通信を行う通信手段と、前記通信手段を介して受信されるデータを蓄積するための記録手段と、前記視聴可能時間と再生中のコンテンツの残り再生時間とを比較し、前記視聴可能時間が前記残り再生時間より所定の時間以上長くなると判断した場合に、前記通信手段を介して前記他の装置へ他のコンテンツのデータを要求するデータ要求手段とを備えてもよい。
【００１４】
これにより、視聴可能時間が延長された場合、現在視聴中のコンテンツの視聴が完了した後に新しいコンテンツを視聴することができる。
ここで、前記データ要求手段は、要求する前記他のコンテンツを前記視聴可能時間と前記残り再生時間との差に基づいて決定することが好ましい。
これにより、視聴可能時間の延長時間に応じた新しいコンテンツを容易に取得することができる。
【００１５】
また、本発明に係るデータ送受信システムは、データの記録および再生を行う第１記録再生装置および第２記録再生装置を備え、前記第１記録再生装置と前記第２記録再生装置との間でデータを送受信するデータ送受信システムであって、前記第１記録再生装置は、再生するコンテンツのデータを読み出すデータ読出し手段と、前記データ読出し手段により読み出されたデータを再生する再生手段と、所定の期間毎に再生制御補助情報を取得する補助情報取得手段と、前記再生制御補助情報に基づいて視聴可能時間を算出する視聴可能時間算出手段と、前記再生するコンテンツを前記視聴可能時間内に視聴者が視聴完了できるように前記再生制御方法を決定する再生制御方法決定手段と、前記再生制御方法決定手段により決定された再生制御方法に従って前記データ読出し手段および前記再生手段を制御する再生制御手段と、他の装置と通信を行う通信手段と、前記通信手段を介して受信されるデータを蓄積するための記録手段と、前記視聴可能時間と再生中のコンテンツの残り再生時間とを比較し、前記視聴可能時間が前記残り再生時間より所定の時間以上長くなると判断した場合に、前記通信手段を介して前記他の装置へ他のコンテンツのデータを要求するデータ要求手段とを備え、前記第２記録再生装置は、他の装置と通信を行う通信手段と、コンテンツのデータを蓄積するための記録手段と、前記第１記録再生装置より要求された前記他のコンテンツのデータを前記通信手段を介して前記第１記録再生装置へ送信する応答手段とを備えることを特徴とする。
【００１６】
これにより、第１記録再生装置において視聴可能時間が延長された場合、第２記録再生装置に蓄積されたコンテンツデータを容易に第１記録再生装置Ｂに取得することができ、現在視聴中のコンテンツの視聴が完了した後に新しいコンテンツを視聴することができる。
なお、本発明は、このような再生装置として実現することができるだけでなく、このような再生装置が備える特徴的な手段をステップとする再生方法として実現したり、それらのステップをコンピュータに実行させるプログラムとして実現したりすることもできる。そして、そのようなプログラムは、ＣＤ−ＲＯＭ等の記録媒体やインターネット等の伝送媒体を介して配信することができるのは言うまでもない。
【発明の効果】
【００１７】
本発明に係る再生装置、データ送受信システムおよび再生方法によれば、限られた視聴時間内において、所望のコンテンツを適切な再生方法で再生し、視聴完了することができる。
【発明を実施するための最良の形態】
【００１８】
以下、本発明の各実施の形態について、それぞれ図面を用いて説明する。
（実施の形態１）
実施の形態１では、時々刻々と変化する視聴可能時間に合わせて、即座に再生の制御方法を変更する再生装置および再生制御方法について説明する。
図１は、本実施の形態１に係る再生装置を用いたシステムの構成を示すブロック図である。
【００１９】
このシステムは、車両に搭載され、メディアに記録されているコンテンツのデータを再生するシステムであり、再生装置１００、メディアドライブ２００、再生制御補助情報検出装置２１０、および表示部２２０を備えている。そして、再生装置１００は、メディアドライブ２００、再生制御補助情報検出装置２１０、および表示部２２０に接続されている。
【００２０】
メディアドライブ２００は、例えばＤＶＤ−ＲＡＭ(Digital Versatile Disc - Random Access Memory)ドライブ等であり、コンテンツデータが蓄積されたメディアからデータを読み出すことができる。再生制御補助情報検出装置２１０は、例えばカーナビゲーションシステム等であり、再生制御補助情報を検出する。本実施の形態１では、再生制御補助情報はユーザが目的地に到着するまでの所要時間を表す所要時間情報であるとする。表示部２２０は、再生装置１００で再生された映像・音声を出力するディスプレイやスピーカ等である。
【００２１】
再生装置１００は、入力データを再生する装置であり、図１に示すようにデータ読出し部１０１、伸長部１０２、再生制御部１０３、判定部１０４、再生制御方法決定部１０５、視聴可能時間算出部１０６、補助情報取得部１０７、および再生部１０８を備えている。データ読出し部１０１は、メディアドライブ２００に対して所望のデータを要求してデータを読み出す。伸長部１０２は、データ読出し部１０１により読み出されたデータが圧縮されている場合に、そのデータを伸長する。補助情報取得部１０７は、所定の間隔で再生制御補助情報検出装置２１０から再生制御補助情報として所要時間情報を取得する。視聴可能時間算出部１０６は、視聴可能時間の算出を行う。本実施の形態では、再生制御補助情報が所要時間情報であるので、視聴可能時間算出部１０６は所要時間をそのまま視聴可能時間とする。判定部１０４は、視聴可能時間算出部１０６により新たに算出された視聴可能時間が、前回算出された視聴可能時間と比較して変化しているか否かを判定する。再生制御方法決定部１０５は、視聴可能時間算出部１０６により算出された視聴可能時間に基づいて再生速度を算出する。また、再生制御方法決定部１０５は、算出した再生速度が所定の速度を超える場合には、省略するシーンを決定する。再生部１０８は、データ読出し部１０１により読み出されたデータ、または伸長部１０２により伸長されたデータの再生を行う。再生制御部１０３は、再生制御方法決定部１０５により決定された省略シーンがあればその省略シーンを省略して、省略シーンがなければ省略を行わずに、算出された再生速度に従ってデータ読出し部１０１および再生部１０８の制御を行う。
【００２２】
次に、上記のように構成されたシステムおよび再生装置１００の動作について説明する。
図２は本実施の形態１における再生装置の動作を表したフローチャートである。ここで再生するコンテンツデータは、ＴＶ放送の番組がＤＶＤ−ＲＡＭに記録されているものとする。以下にその動作の詳細を説明する。なお、安全性の問題から、車の運転中に運転者は表示された映像を見ることができない。ここでは同乗者が視聴するものとし、車が移動中に視聴する状況を想定する。
【００２３】
まず、再生装置１００はユーザからコンテンツの再生指示を受け付ける（ステップＳ１０１）。例えば、再生可能なコンテンツが複数ある場合にはリストを表示するなどしてユーザに選択してもらうようにしてもよい。また、これらの指示は直接機器を操作してもよいし、あるいは付属のリモコンで操作してもよい。
次に、再生制御部１０３は、選択されたコンテンツのトータル再生時間をコンテンツデータのヘッダ情報などから読み出す（ステップＳ１０２）。ここでいう再生時間とは通常（等倍速）再生した場合の時間である。
【００２４】
次に、視聴可能時間算出部１０６は、補助情報取得部１０７により取得された所要時間情報をそのまま視聴可能時間として算出する。（ステップＳ１０３）。ここで、再生制御補助情報検出装置２１０は、所定の間隔で所要時間情報を更新しているものとする。そして、補助情報取得部１０７は、再生制御補助情報検出装置２１０において所要時間情報が更新される間隔にあわせて所要時間情報を取得する。この所要時間情報に示された時間、すなわち視聴可能時間は内部時計（図示せず）と連動されて保持され、時々刻々と変化する。よって、この保持される視聴可能時間（以下、残り視聴可能時間という）は、徐々に減少し、目的地に到着するとき０となる。
【００２５】
次に、再生制御方法決定部１０５は、再生制御部１０３により読み出されたトータル再生時間と、視聴可能時間算出部１０６により算出された視聴可能時間とに基づいて、再生制御方法を決定する（ステップＳ１０４）。具体的な再生制御方法の決定処理は後述する。
そして、再生制御部１０３は、再生制御方法決定部１０５により決定された再生制御方法に従ってデータ読出し部１０１および再生部１０８の制御を行い、コンテンツを再生する（ステップＳ１０５）。具体的には、データ読出し部１０１がメディアドライブ２００に対して所望のデータを要求し、データを読み出す。次に、再生部１０８は、読み出されたデータを再生し、表示部１０８へ表示する。読み出されたデータが圧縮されている場合には、再生部１０８は、伸長部１０７により伸長されたデータを再生し、表示部１０８へ表示する。
【００２６】
再生制御部１０３は、現在のシーンの再生が終わると、コンテンツの再生が終わったか否かを確認する（ステップＳ１０６）。再生が終了の場合（ステップＳ１０６でＹＥＳ）には、ここで動作を終了する。一方、コンテンツの再生途中である場合（ステップＳ１０６でＮＯ）には、判定部１０４は、残り所要時間が変わっているか否かを判定する（ステップＳ１０７）。具体的には、まず判定部１０４は、視聴可能時間算出部１０６により算出された最新の視聴可能時間、および視聴可能時間算出部１０６で管理している残り視聴可能時間を取得する。そして、判定部１０４は、最新の視聴可能時間が残り視聴可能時間と比較して変わっているか否かを判定する。その結果、変わっていない場合（ステップＳ１０７でＮＯ）には、現在の再生制御方法に従って再生を続ける（ステップＳ１０５）。
【００２７】
一方、何らかの要因により最新の視聴可能時間と残り視聴可能時間が異なる場合（ステップＳ１０７でＹＥＳ）には、再生制御部１０３は、再生しているコンテンツの残り再生時間を確認する（ステップＳ１０８）。この残り再生時間とは、残りのシーンを通常再生した場合の時間のことである。確認後、再生制御方法決定処理（ステップＳ１０４）を再度行って上記の動作を繰り返す。
【００２８】
図３は上記再生制御方法決定処理（ステップＳ１０４）の一例を示したフローチャートである。以下にその詳細を説明する。
まず、再生制御方法決定部１０５は、コンテンツのトータル再生時間に対して視聴可能時間が十分であるか否かを判定する（ステップＳ２０１）。ここで、視聴可能時間が充分であると判定された場合、すなわち視聴可能時間がコンテンツのトータル再生時間以上の場合（ステップＳ２０１でＹＥＳ）には、特別な制御をしなくても視聴可能時間内にコンテンツの再生を終了できるため特別な制御を行わないとして再生制御方法決定処理を終了する。この場合、コンテンツは通常再生される。
【００２９】
一方、上記判定の結果、視聴可能時間が充分でないと判定された場合、すなわち視聴可能時間よりコンテンツのトータル再生時間が長い場合（ステップＳ２０１でＮＯ）には、再生制御方法決定部１０５は、再生速度を算出する（ステップＳ２０２）。この算出方法は、例えば、＜コンテンツのトータル再生時間＞／＜視聴可能時間＞とすることで再生速度を決定する。例えば、コンテンツのトータル再生時間が３０分で視聴可能時間が２０分であるとすると、１．５倍速が再生速度となる。上述の算出方法で数値が割り切れなかったりして算出した数値の速度では再生が不可能な場合は数値を繰り上げるなどしてもよい。なお、再生速度の算出を２回目以上行う場合は、＜コンテンツの残り再生時間＞／＜視聴可能時間（最新の残り所要時間）＞となる。
【００３０】
次に、上記のように算出された再生速度がしきい値以下であるか否かを判定する（ステップＳ２０３）。しきい値は、例えば１．５とする。再生速度があまり速くなると人間がそのコンテンツ内容を理解できなくなるため、しきい値は人間がその速度で再生してもコンテンツ内容が理解できる数値を設定する。この判定の結果、再生速度がしきい値以下の場合（ステップＳ２０３でＹＥＳ）には、再生制御方法決定処理を終了する。
【００３１】
一方、上記判定の結果、再生速度がしきい値より大きい場合（ステップＳ２０３でＮＯ）には、再生制御方法決定部１０５は、コンテンツの中で再生を省略するシーンを決定する（ステップＳ２０４）。この省略によりトータル再生時間を短縮する。省略方法について図４を用いて説明する。
図４は、再生するコンテンツ全体４０１を時間軸で示した図であり、左端がコンテンツの始点、右端が終点である。コンテンツの中のシーン４０２〜４０３は重要度で重み付けされている。シーン４０２（４０１内の網掛部）は重要度が高いシーン、シーン４０３（４０１内の対角線部）は重要度が中のシーン、シーン４０４（４０１内の横線部）は重要度が低いシーン、シーン４０５（４０１内の白部）は重要でないシーンである。ここでシーンの重要度の決め方の一例を説明する。まず、重要度（高）であるシーン４０２は、ハイライトシーンなどの番組内で最も盛り上がるシーンを割り当てる。なお、このハイライトシーンの検出方法は音声レベルにより判断するなどしてもよく、本発明の主たる問題ではないため詳細は割愛する。重要度（中）であるシーン４０３は、シーン４０２の前後のシーンとする。シーン４０３の長さは例えば２分とする。さらに重要度（低）であるシーン４０４はシーン４０３の前あるいは後（シーン４０２と逆の時間軸方向）のシーンとする。シーン４０４の長さは例えば５分とする。そして、他のシーンは重要でないとし、シーン４０５とする。ただし例外として、ＣＭ（コマーシャル）部はシーン４０５とし、シーン４０３、シーン４０４の決定の際にＣＭ部を挟む場合はＣＭ部の時間を除いて決定することにする。このような重要度によりコンテンツを分割する。
【００３２】
再生制御方法決定部１０５は、上記のように重要度で重み付けされているコンテンツの中で重要度の低いシーンから順に省略を行っていく。つまり、初めに省略するシーンを決定する場合には、シーン４０５を省略する。２回目に省略するシーンを決定する場合には、シーン４０５とシーン４０４を省略する。省略するシーンを決定する毎に同様の手順でシーンの省略をする。省略するシーンを決定する回数は、状況やコンテンツ内容によって異なる。なお、例えば重要度の分割数と同じ数だけ省略するシーンを決定（ステップＳ２０４）すると全てのシーンが省略となってしまうため、この場合は重要度の分割数を増やすなどする（図示せず）。省略するシーンの決定後、再生制御方法決定部１０５は、省略すると決定したシーンを除いたコンテンツの再生時間を取得し、再度、再生速度の算出を行い（ステップＳ２０２）、上記処理を繰り返す。
【００３３】
以上説明したように、再生中に常に最新の残り所要時間を確認することにより、残り所要時間の変更に即座に対応することができる。また、視聴可能時間の変化に伴って再生を制御することにより所望のコンテンツを視聴可能時間内に視聴完了することができる。例えば到着予定時刻が早くなった場合、すなわち視聴可能時間が短くなった場合は、再生速度を早くしたり、重要でないシーンを省略したりする。逆に到着予定時刻が遅くなった場合、すなわち視聴可能時間が長くなった場合は、再生速度を通常速度に近づけたり、省略するシーンを減らしたりする。視聴可能時間の変更に対して即座に対応するため、より最適な再生制御を行うことができる。このように本発明の再生装置は、所望のコンテンツをできるだけシーンを省略することなく通常再生速度で再生しつつ、視聴可能時間内に確実に完了することができる。
【００３４】
なお、本実施の形態１では再生装置が車両に搭載されるとして説明したがこれに限られたものではない。例えば、コンテンツが再生可能な携帯端末でも同様な装置を構成することができる。或いは家庭内で用いることも可能である。
また、再生制御補助情報は目的地に到着するまでの所要時間としたがこれに限られたものではない。例えば視聴可能時間を予め設定しておき、再生制御補助情報を例えば事故情報等の緊急情報として、事故情報を見るための時間を視聴可能時間から差し引くなど緊急情報に従って視聴可能時間を変更するなどとしてもよい。或いは、走行中の地域のガイド情報などを再生する場合にはガイド情報の再生時間を視聴可能時間から差し引くなどしてもよく、視聴可能時間を変更する情報であれば同様な装置を構築することができる。
【００３５】
また、再生制御補助情報検出装置にはカーナビゲーションを用いるとしたがこれに限られたものではく、同様の情報を検出できる装置であればよい。
また、メディアドライブはＤＶＤ−ＲＡＭドライブとしたがこれに限られたものではない。ＤＶＤ−ＲＷドライブやＣＤ−Ｒ／ＲＷドライブ、或いは半導体メモリなどでも同様の装置を構築することができる。
【００３６】
また、再生するコンテンツはＴＶ放送の番組としたがこれに限られたものではない。コピー可能なＤＶＤ−Ｖｉｄｅｏやビデオテープからダビングしたもの、或いはインターネット経由で配信された動画データなどのビデオデータでも同様の装置を構築することができる。あるいは、オーディオデータとしてもよい。
また、再生するコンテンツはＤＶＤ−ＲＡＭメディアに蓄積されているものとしたがこれに限られたものではない。例えば、再生装置自身が記録部を持っており、その記録部に蓄積されたデータを読み出して再生するとしてもよい。図５はこのような記録部を備える記録再生装置を用いたシステムの構成を示すブロック図である。なお、図１に示すシステムと同様の部分については同じ符号を付し、詳細な説明を省略する。
【００３７】
このシステムは、車両に搭載され、入力されるコンテンツのデータを記録および再生するシステムであり、記録再生装置３００、再生制御補助情報検出装置２１０、および表示部２２０を備えている。そして、記録再生装置３００は、再生制御補助情報検出装置２１０、および表示部２２０に接続されている。また、記録再生装置３００は、図１に示す再生装置１００に加えて、図５に示すように圧縮部３０１および記録部３０２を備えている。
【００３８】
圧縮部３０１は、入力データに対して、必要であるならば圧縮を行う。記録部３０２は、入力データ、或いは圧縮部３０１にて圧縮されたデータを蓄積する。記録部３０２には、例えばハードディスクドライブのような大容量のストレージを用いる。この記録再生装置３００においても上記で説明した再生装置１００と同様の効果を得られる。また、記録再生装置３００はメディアドライブと接続して、メディアドライブと記録部のどちらからもデータを読み出せるようにしてもよい。
【００３９】
また、再生装置１００はユーザからコンテンツの再生指示を受け付ける（図２、ステップＳ１０１）としたが、これに限られたものではない。例えば、電源が投入されたと同時に再生を自動で開始するようにしても同様の装置を構築することができる。
また、視聴可能時間算出部１０６は、補助情報取得部１０７により取得された所要時間情報をそのまま視聴可能時間として算出している（ステップＳ１０３）が、これに限られたものではない。例えば、ドライブで景色のよい場所を通る予定である場合など、その場所ではコンテンツの視聴を停止して景色を楽しみたいことがある。このように視聴を一時停止したい時間がある場合はそれを考慮して視聴可能時間を短めに算出すればよい。あるいは途中で休憩するなどして到着が到着予定時刻より遅れることがわかっている場合はそれを考慮して視聴可能時間を長めに算出すればよい。
【００４０】
また、ユーザが特殊再生など（早送り・巻き戻し・一時停止など）を行った場合はコンテンツの残り再生時間が変化するため、特殊再生が行われたかどうかを検出して、再度、再生制御方法を決定するように処理を行ってもよい。
また、現在のシーンの再生が終わった際に、判定部１０４は、残り所要時間が変わっているか否かの判定（ステップＳ１０７）を行っているが、これに限られたものではない。所要時間情報は、再生制御補助情報検出装置２１０の検出タイミングに依存するため、検出タイミングが例えば３０秒であるなら、判定部１０４は、３０秒毎に残り所要時間が変わっているか否かの判定を行ってもよい。
【００４１】
また、再生制御方法決定部１０５が再生速度を算出（図３、ステップＳ２０２）する際の算出方法は、＜コンテンツのトータル再生時間（残り再生時間：２回目以降）＞／＜視聴可能時間＞としたがこれに限られたものではない。例えば、シーン毎に再生速度を変化させるとしてもよく、また例えば図４で示したようなシーンの重要度によって再生速度を変えるとしても同様のシステムを構築することができる。
【００４２】
また、再生制御方法決定部１０５が算出した再生速度がしきい値以下であるか否かを判定（ステップＳ２０３）する際のしきい値は１．５としたがこれに限られたものではない。上述したようにユーザが理解できる速度で他の数値を設定してもよい。或いは、番組の種類（映画・ニュース・スポーツなど）によってしきい値を変更するとしても同様の装置を構築することができる。
【００４３】
また、図４においてコンテンツのシーンに重要度による重み付けを４段階（高・中・低・重要でない）としたがこれに限られたものではない。また、重要度による重み付けの方法はどのような手段を用いてもよい。また、ＣＭは自動的に“重要でない”としたがこれに限られたものでなく、例えばＣＭを設定によってＯＮ／ＯＦＦを切り替えるなどしても同様の装置を構築することができる。
【００４４】
（実施の形態２）
本実施の形態２では視聴可能時間の延長に応じて、次に視聴する番組を他の装置から取得する車載用記録再生装置、およびこの車載用記録再生装置を用いたデータ送受信システムを説明する。
図６は、本実施の形態２に係る車載用記録再生装置を用いたデータ送受信システムの構成を示すブロック図である。なお、図５に示すシステムと同様の部分については同じ符号を付し、詳細な説明を省略する。
【００４５】
このデータ送受信システムは、２台の記録再生装置間でデータを送受信するシステムであり、車載用記録再生装置５００、再生制御補助情報検出装置２１０、表示部２２０、および家庭用記録再生装置６００を備えている。そして、車載用記録再生装置５００は、再生制御補助情報検出装置２１０、および表示部２２０に接続されている。また、車載用記録再生装置５００は、図５に示す記録再生装置３００に加えて、図６に示すように通信部５０１およびデータ要求部５０２を備えている。他の構成は記録再生装置３００と同じであり、実施の形態１で説明した再生制御の動作などは同様に行うことができる。
【００４６】
通信部５０１は、例えばインターネット等のネットワークを介して他の装置との通信を行う。データ要求部５０２は、視聴可能時間算出部１０６により算出された視聴可能時間と再生しているコンテンツの残り再生時間とを比較し、視聴可能時間が残り再生時間より長くなると判断した場合に、通信部５０１を介して家庭用記録再生装置６００へ他のコンテンツのデータを要求する。
【００４７】
一方、家庭用記録再生装置６００は、図６に示すように通信部６０１、記録部６０２、および応答部６０３を備えている。
通信部６０１は、例えばインターネット等のネットワークを介して他の装置との通信を行う。記録部６０２は、例えばハードディスク等の大容量の記録媒体であり、複数のコンテンツのデータを蓄積している。応答部６０３は、車載用記録再生装置５００から要求されたコンテンツのデータを通信部６０１を介して車載用記録再生装置５００へ送信する。
【００４８】
本実施の形態２では、車載用記録再生装置５００は家庭用記録再生装置６００とインターネットを経由して無線通信が可能であることを想定する。家庭用記録再生装置６００には複数のコンテンツデータ、例えばユーザが記録したＴＶ番組が蓄積されているものとする。
図７は本実施の形態２におけるコンテンツデータダウンロードの動作を表したフローチャートである。以下にその動作の詳細を説明する。なお、ユーザは車載用記録再生装置５００内に蓄積されたコンテンツを実施の形態１で説明した再生制御方法に従って視聴中であるとする。
【００４９】
まず、データ要求部５０２は、視聴可能時間の超過を検出する（ステップＳ３０１）。この視聴可能時間超過とは、再生しているコンテンツの残り再生時間（通常再生時の残り時間）より視聴可能時間が長くなった場合のことである。つまり、現在再生中のコンテンツが目的地到着までに視聴完了することができ、かつ、時間が余ってしまうという状況になると判断する。次に、データ要求部５０２は通信部５０１を介して家庭用記録再生装置６００にコンテンツ取得要求を送信する（ステップＳ３０２）。
【００５０】
一方、家庭用記録再生装置６００では、通信部６０１が車載用記録再生装置５００から送信されたコンテンツ取得要求を受信し、応答部６０３へ通知する（ステップＳ３０３）。コンテンツ取得要求を通知された応答部６０３は、記録部６０２に蓄積されているコンテンツのリストを通信部６０１を介して車載用記録再生装置５００に送信する（ステップＳ３０４）。
【００５１】
車載用記録再生装置５００では、家庭用記録再生装置６００から送信されたコンテンツリストを受信する（ステップＳ３０５）。受信されたコンテンツリストは、記録部３０２に一時保存され、データ要求部５０２は記録部３０２からこのリストを読み出すことが可能となる。
【００５２】
次に、データ要求部５０２は、記録部３０２からコンテンツリストを読み出し、ダウンロードするコンテンツを選択する（ステップＳ３０６）。この選択方法は、例えば、視聴可能時間から最適なコンテンツを選択する。そして、データ要求部５０２は、選択したコンテンツのデータ要求を通信部５０１を介して家庭用記録再生装置６００に送信する（ステップＳ３０７）。
【００５３】
家庭用記録再生装置６００では、通信部６０１が車載用記録再生装置５００から送信されたデータ要求を受信し、応答部６０３へ通知する（ステップＳ３０８）。そして、応答部６０３は、要求されたデータを通信部６０１を介して車載用記録再生装置５００に送信する（ステップＳ３０９）。
車載用記録再生装置５００では、通信部５０１が送信されたデータを受信し（ステップＳ３１０）、記録部３０２へ記録する（ステップＳ３１１）。実際にはパケット通信などで行われるため、家庭用記録再生装置６００でのデータ送信から車載用記録再生装置５００での記録部３０２への記録まで（ステップＳ３０９〜Ｓ３１１）が繰り返して行われ、すべてのデータの送受信が完了したら処理を終了する。
【００５４】
以上説明したように、視聴可能時間が延長した場合も次に視聴するコンテンツを他の装置から取得するため、現在視聴中の番組が終了したあともユーザは新たに取得したコンテンツの視聴ができ、時間を有効に利用することができる。
なお、車載用記録再生装置５００は、家庭用記録再生装置６００からデータを受信して記録するとしたがこれに限られたものではない。例えば、コンテンツ配信サーバなどからコンテンツを購入するとしても同様のシステムを構築することができる。
【００５５】
また、車載用記録再生装置５００と家庭用記録再生装置６００はインターネットを経由して通信を行うとしたがこれに限られたものではない。他の無線通信を用いても同様のシステムを構築することができる。
また、車載用記録再生装置５００は、コンテンツ取得要求により家庭用記録再生装置６００に蓄積されているコンテンツのリストを取得するとしているが、これに限られたものではない。例えば、既にコンテンツのリストを取得している場合等には、リストの要求を行わず、コンテンツの選択を行った上でコンテンツのデータ要求を行えばよい。
【００５６】
また、データ要求部５０２における視聴可能時間超過の検出（図７、ステップＳ３０１）は、再生しているコンテンツの残り再生時間（通常再生時の残り時間）より視聴可能時間が長くなった場合としたがこれに限られたものではない。例えば、視聴可能時間が残り再生時間より所定の時間（例えば３０分）以上長くなった場合、などしきい値を設定してもよい。あるいは、残り再生時間と比較するのではなく、そのコンテンツを実施の形態１で示した再生制御を行った場合の時間と比較するとしても同様のシステムを構築することができる。
【００５７】
また、データ要求部５０２におけるコンテンツ選択（図７、ステップＳ３０６）は、車載用記録再生装置５００で行うとしたがこれに限られたものではない。家庭用記録再生装置６００側で行っても同様のシステムを構築することができる。
また、コンテンツ選択は視聴可能時間から最適なものを選択するとしたがこれに限られたものではない。例えば、ユーザの嗜好を設定しておき、それに合わせて選択するとしてもよい。あるいは、リストをサブ画面で表示してユーザが直接選択するとしても同様のシステムを構築することができる。
【産業上の利用可能性】
【００５８】
以上のように本発明に係る再生装置は、限られた視聴時間に合わせて再生制御方法を変更することにより、視聴時間内で所望のコンテンツを適切に再生することができ、例えば車内でコンテンツ視聴を行うのに有用である。
【図面の簡単な説明】
【００５９】
【図１】本発明の実施の形態１に係る再生装置を用いたシステムの構成を示すブロック図である。
【図２】本発明の実施の形態１に係る再生装置の動作を示すフローチャートである。
【図３】本発明の実施の形態１に係る再生制御方法決定部における動作を示すフローチャートである。
【図４】本発明の実施の形態１に係るシーンの重要度付けを説明した図である。
【図５】本発明の実施の形態１に係る記録再生装置を用いたシステムの構成を示すブロック図である。
【図６】本発明の実施の形態２に係る車載用記録再生装置を用いたデータ送受信システムの構成を示すブロック図である。
【図７】本発明の実施の形態２に係る車載用記録再生装置のコンテンツデータダウンロードの動作を示すフローチャートである。
【符号の説明】
【００６０】
１００  再生装置
１０１  データ読出し部
１０２  伸長部
１０３  再生制御部
１０４  判定部
１０５  再生制御方法決定部
１０６  視聴可能時間算出部
１０７  補助情報取得部
１０８  再生部
２００  メディアドライブ
２１０  再生制御補助情報検出装置
２２０  表示部
３００  記録再生装置
３０１  圧縮部
３０２  記録部
４０１  再生中のコンテンツ全体
４０２  重要度（高）のシーン
４０３  重要度（中）のシーン
４０４  重要度（低）のシーン
４０５  重要度でないシーン
５００  車載用記録再生装置
５０１  通信部
５０２  データ要求部
６００  家庭用記録再生装置
６０１  通信部
６０２  記録部
６０３  応答部
【図１】
2005223451.tif 000003
【図２】
2005223451.tif 000004
【図３】
2005223451.tif 000005
【図４】
2005223451.tif 000006
【図５】
2005223451.tif 000007
【図６】
2005223451.tif 000008
【図７】
2005223451.tif 000009